(57)【要約】      （修正有）【課題】安全帯のフックがリング金具に引掛かることを防止し、接続ワイヤを安定させる工具ホルダを提供する。【解決手段】。カバー７ａ，７ｂは、下辺が略円弧である略台形の革を横辺の略中央で折り返し、その両端を結合した構成である。また、カバーの上端からベルト通し３が差し込まれ、カバーとベルト通し３は留め具９によって結合されている。これにより、カバーは、下部が開いた略袋状となる。ここで、リング金具５とカバーの関係において、カバーの縦方向の長さは、リング金具５の縦方向の長さよりも長い。さらに、略袋状のカバーが、リング金具５全体を包むように隠している。これにより、作業者が誤って安全帯のフックをリング金具５に引掛けてしまうことが防止される。【選択図】図１
2017154213.tif 000002
【特許請求の範囲】
【請求項１】
使用者が腰部に装着するベルトに接合される接合部と、
前記接合部に設けられ、工具が連結された接続ワイヤの一端を引掛ける引掛部と、
前記接合部に結合され、前記引掛部を遮蔽する遮蔽部と、
からなる工具保持部材であって、
前記遮蔽部は、
前記使用者が、前記ベルトを装着した場合、前記遮蔽部の右端部または左端部の長さが、前記引掛部の右端部または左端部の何れかの長さよりも長いことを特徴とする、
工具保持部材。
【請求項２】
前記遮蔽部は、
下端部が開いた構造であることを特徴とする、
請求項１に記載の工具保持部材。
【請求項３】
前記遮蔽部は、
前記遮蔽部の上端部の長さが、前記遮蔽部の下端部の長さよりも短く、
前記右端部または左端部が、前記上端部から前記下端部に向けて所定の広がりを有していることを特徴とする、
請求項１または２に記載の工具保持部材。
【請求項４】
前記引掛部は、リング状に構成され、
前記接続ワイヤの一端には前記引掛部に引掛けるための接続部品が設けられ、
前記遮蔽部は、前記引掛部に引掛けられた当該接続部品を覆う長さに構成され、当該遮蔽部の下端部は、前記引掛部を中心とする円弧状に形成されていることを特徴とする請求項３に記載の工具保持部材。
【請求項５】
前記遮蔽部は、
前記右端部または前記左端部の反対側の端部が、略鉛直であることを特徴とする、
請求項３または４に記載の工具保持部材。
【請求項６】
前記遮蔽部は、
前記使用者が、前記ベルトを、前記工具保持部材が前記使用者の側面に位置するように装着した場合、前記所定の広がりを有した右端部または左端部が、作業者の前面側に位置することを特徴とする、
請求項３〜５のいずれかに記載の工具保持部材。
【請求項７】
前記遮蔽部は、
柔軟な素材で構成されていることを特徴とする、
請求項１〜６のいずれかに記載の工具保持部材。
【請求項８】
前記遮蔽部は、
前記下端部が折り返されることで、前記引掛部が露出することを特徴とする、
請求項７に記載の工具保持部材。
【請求項９】
工具が連結された接続ワイヤの一端を引掛ける引掛部と、
前記引掛部を遮蔽する遮蔽部と、
からなる工具保持部材であって、
前記遮蔽部は、
下端に開口部を備え、
側面の形状が、前記下端から上端に向かうにつれて細くなる先細形状であることを特徴とする、
工具保持部材。
【請求項１０】
使用者が腰部に装着するベルトに接合される接合部と、
前記接合部に設けられ、工具が連結された接続ワイヤの一端を引掛ける引掛部と、
前記接合部に結合され、前記引掛部を遮蔽する遮蔽部であって、
前記使用者が、前記ベルトを装着した場合、前記遮蔽部の右端部または左端部の長さが、前記引掛部の右端部または左端部の何れかの長さよりも長く、
前記遮蔽部の上端部の長さが、前記遮蔽部の下端部の長さよりも短く、前記右端部または左端部が、前記上端部から前記下端部に向けて所定の広がりを有していることを特徴とする遮蔽部と、からなる工具保持部材を使用する方法であって、
前記使用者が、前記ベルトを、前記工具保持部材が前記使用者の側面に位置するように装着した場合、前記所定の広がりを有した右端部または左端部が、作業者の前面側に位置することを特徴とする、
前記工具保持部材を使用する方法。
【発明の詳細な説明】
【技術分野】
【０００１】
本発明は、高所作業者のベルトに備え付ける、工具類を連結するための工具ホルダに関する。
【背景技術】
【０００２】
現在、建設工事現場等の高所において作業を行う場合、作業者は、高所からの墜落防止のために安全帯（命綱付ベルト）を使用している。安全帯は、D環が固定されたベルトと、一端がベルトに連結され、もう一端にフックを備えた命綱から構成される。高所では、フックを備えた命綱の一端を、近くにある柱等の構造物に回し、ベルトのＤ環に掛けることでＵ字構造を形成し、命綱が作業者の体重を支えることで墜落を防止している。
【０００３】
また、高所で工具類を使用する場合、工具類は、落下防止のため、一端にフックが取り付けられたセーフティコード（落下防止用接続ワイヤ）と接続され、このセーフティコードのフックと安全帯のベルトに取り付けられた工具吊り用のリング金具やＤ環を連結して使用する。その際、利便性の観点から、セーフティコードのフックを連結するリング金具やＤ環は、利き手側、かつ、互いに近接する位置に備え付けることが一般的である。
【０００４】
このようにして、作業者は、作業場所に応じて安全帯の命綱の掛け換えを行いながら、複数の工具類を使い分けている。
【０００５】
ところが、作業者が安全帯の命綱を掛け換える際、命綱のフックをＤ環ではなく誤って近接した工具吊り用のリング金具やセーフティコードのフックに掛けてしまう場合があった。通常、リング金具やセーフティコードのフックは工具を支える程度の強度しかなく、これらに命綱のフックを掛けた状態で作業者が足を踏み外してしまうと、リング金具やフックが作業者の重量に耐えられずに破損し、その結果、作業者が墜落してしまうという事故が発生していた。
【０００６】
特許文献１には、このような事故に対応するセーフティコード取付金具が開示されている。リングより幅広のカバー用板体を設けることで、カバー用板体がリングを隠す。これにより、安全帯のフックがリングに引掛かることを防止する。
【先行技術文献】
【特許文献】
【０００７】
【特許文献１】特開２０１３−１４６８０９
【発明の概要】
【発明が解決しようとする課題】
【０００８】
上記セーフティコード取付金具において、カバー用板体の大きさは、辛うじて複数のリングを隠す程度である。さらに、一面（外側の面）だけでリングを隠している。そのため、上記のような事故を十分に防止できていない。また、リングに連結された複数のセーフティコードにまとまりがなく、作業者が動いたり姿勢を変えたりする度に、セーフティコードがばらついて不安定になる問題もある。
【０００９】
本発明は、このような問題を解決すべく、安全帯のフックが工具吊り用のリング金具やセーフティコード（落下防止用接続ワイヤ）のフックに引掛かることを防止し、セーフティコードを安定させる工具ホルダの提供を目的とする。
【課題を解決するための手段】
【００１０】
(1)この発明に係る工具保持部材は、使用者が腰部に装着するベルトに接合される接合部と、接合部に設けられ、工具が連結された接続ワイヤの一端を引掛ける引掛部と、接合部に結合され、引掛部を遮蔽する遮蔽部と、からなる工具保持部材であって、遮蔽部は、使用者が、ベルトを装着した場合、遮蔽部の右端部または左端部の長さが、引掛部の右端部または左端部の何れかの長さよりも長いことを特徴とする。この構成により、安全帯のフックがリング金具に引掛かることを防止し、接続ワイヤを安定させる。
【００１１】
(2)また、本発明の工具保持部材の遮蔽部は、下端部が開いた構造であることを特徴とする。この構成により、さらに安全帯のフックがリング金具に引掛かることを防止し、接続ワイヤを安定させる。
【００１２】
(3)この発明に係る工具保持部材の遮蔽部は、遮蔽部の上端部の長さが、遮蔽部の下端部の長さよりも短く、右端部または左端部が、上端部から下端部に向けて所定の広がりを有していることを特徴とする。この構成により、接続ワイヤの可動性が、遮蔽部（カバー）によって阻害されない。
【００１３】
(4)この発明に係る工具保持部材は、引掛部がリング状に構成され、前記接続ワイヤの一端には前記引掛部に引掛けるための接続部品が設けられ、前記遮蔽部が、前記引掛部に引掛けられた当該接続部品を覆う長さに構成され、当該遮蔽部の下端部が、前記引掛部を中心とする円弧状に形成されていることを特徴とする。したがって、工具が連結された接続ワイヤの接続部品が、作業中にリング状の引掛部において移動したとしても、当該接続部品もしくは引掛部が遮蔽部より露出するおそれはない。
【００１４】
(5)この発明に係る工具保持部材の遮蔽部は、右端部または左端部の反対側の端部が、略鉛直であることを特徴とする。この構成により、接続ワイヤが使用者の手の届きにくい所に移動しない。
【００１５】
(6)この発明に係る工具保持部材の遮蔽部は、使用者が、ベルトを、工具保持部材が使用者の側面に位置するように装着した場合、所定の広がりを有した右端部または左端部が、作業者の前面側に位置することを特徴とする。この構成により、接続ワイヤの可動性が、カバーによって阻害されない。
【００１６】
(7)(8)この発明に係る工具保持部材の遮蔽部は、柔軟な素材で構成されていることを特徴とする。さらに、下端部が折り返されることで、引掛部が露出することを特徴とする。この構成により、そのため、高所に上る前の準備段階で接続ワイヤのフックの取り付けや取り外しを手軽に行うことができる。
【００１７】
(9)この発明に係る工具保持部材を別の側面から見ると、工具が連結された接続ワイヤの一端を引掛ける引掛部と、引掛部を遮蔽する遮蔽部と、からなる工具保持部材であって、遮蔽部は、下端に開口部を備え、側面の形状が、下端から上端に向かうにつれて細くなる先細形状であることを特徴とする。この構成により、安全帯のフックがリング金具に引掛かることを防止し、接続ワイヤを安定させる。
【００１８】
(10)この発明に係る工具保持部材を使用する方法は、使用者が腰部に装着するベルトに接合される接合部と、接合部に設けられ、工具が連結された接続ワイヤの一端を引掛ける引掛部と、接合部に結合され、引掛部を遮蔽する遮蔽部であって、使用者が、ベルトを装着した場合、遮蔽部の右端部または左端部の長さが、引掛部の右端部または左端部の何れかの長さよりも長く、遮蔽部の上端部の長さが、遮蔽部の下端部の長さよりも短く、右端部または左端部が、上端部から下端部に向けて所定の広がりを有していることを特徴とする遮蔽部と、からなる工具保持部材を使用する方法であって、使用者が、ベルトを、工具保持部材が使用者の側面に位置するように装着した場合、所定の広がりを有した右端部または左端部が、作業者の前面側に位置することを特徴とする。この構成により、接続ワイヤの可動性が、カバーによって阻害されない。
【００１９】
「工具保持部材」は、実施形態においては、工具ホルダ１が相当する。
【００２０】
「接合部」は、実施形態においては、ベルト通し３が相当する。
【００２１】
「引掛部」は、実施形態においては、リング金具５が相当する。
【００２２】
「遮蔽部」は、実施形態においては、カバー７が相当する。
【図面の簡単な説明】
【００２３】
【図１】本発明の一実施形態における、全体図である。
【図２】カバーを捲り上げた状態を示す図である。
【図３】カバーを捲り上げた状態を示す図である。
【図４】工具ホルダの装着例を示す図である。
【図５】工具ホルダの使用例を示す図である。
【発明を実施するための形態】
【００２４】
１．構成
本実施形態は、ベルト通しとリング金具、カバーで構成される、工具ホルダに関するものである。
【００２５】
図１は、本実施形態における工具ホルダの全体図である。スカート状のカバー７の上部に、ベルト通し３が留め具９によって固定されている。カバー７は、その強度と柔軟性の観点から、皮革であることが好ましいが、ビニールなどの材質であってもよい。
【００２６】
ベルト通し３は、縦方向に長い長方形の革を縦辺の略中央で折り返し、その両端を結合した構成である。ベルト通し３の形状は、正面から見て略長方形、側面から見て略環状となる。また、ベルト通し３の上端には、作業者が装着するベルト３１（図４参照）が通される。
【００２７】
図２に、スカート状のカバー７を折り返した状態を示す。ベルト通し３の下端には、リング金具５がはめ込まれている。リング金具５は、正面から見て略環状となる、金属性のリングである。リング金具５の横方向の長さは、ベルト通し３の横辺と同等以上である。このリング金具５に通された状態で、ベルト通し３の両端が結合されている。また、リング金具５には、１以上の接続ワイヤのフック２２ａ〜２２ｃが引掛けられる。
【００２８】
図１に戻って、カバー７は、下辺が略円弧である略台形の革を横辺の略中央で折り返し、その両端を結合した構成である。例えばカバー７の右端の形状（領域７ｂ）は、正面から見て、深く切り込まれたスカート形状となる。他方、左端の形状（領域７ａ）は、上下方向に真っ直ぐな形状となる。また、底面から見た場合は略環状となる。また、カバー７の上端からベルト通し３が差し込まれ、カバー７とベルト通し３は留め具９によって結合されている。これにより、カバー７は、下部が開いた略袋状となる。
【００２９】
ここで、リング金具５とカバー７の関係において、カバー７の縦方向の長さは、リング金具５の縦方向の長さよりも長い。さらに、略袋状のカバー７が、リング金具５全体を包むように隠している。これにより、作業者が誤って安全帯のフックをリング金具５に引掛けてしまうことが防止される。また、リング金具５に取り付けられた接続ワイヤがまとまり、バラつきが防止される。
【００３０】
なお、リング金具５とカバー７の関係において、カバー７の下端の形状は、リング金具５の中心（重心）の付近を中心とする円弧状として形成されている。つまり、リング金具の中心からカバー７の下端上の各点までの長さＬは、ほぼ等しい長さに形成されている。
【００３１】
さらに、この長さＬは、リング金具５に真っ直ぐ引掛けられたフック２２の縦方向の長さよりも長い。すなわち、カバー７の縦方向の長さは、リング金具５に引掛けられたフック２２の縦方向の長さよりも長い。そのため、作業者の作業によって接続ワイヤ２１がリング金具５上を移動したとしても、フック２２はカバー７から露出しない。
【００３２】
また、上述のように、カバー７の材質は革であり、容易に折り返すことができる。そのため、接続ワイヤのフックの取り付けや取り外しを手軽に行うことができる。
【００３３】
図３は、カバー７を折り返した状態の、工具ホルダ１を示す図である。カバー７によって隠されていたリング金具５、及びリング金具５に引掛けられた複数の接続ワイヤ２１ａから２１ｃのフック２２ａから２２ｃが露出している。
【００３４】
２．使用法
図４を参照して、本実施形態における、本発明の使用法を説明する。
【００３５】
まず、作業者３５は、他端側のフックに工具が連結された接続ワイヤ２１ａ〜２１ｃを、工具ホルダ１に備え付ける。具体的には、図３のように、カバー７を折り返してリング金具５を露出させ、露出したリング金具５に、接続ワイヤ２１ａから２１ｃの一端側のフック２２ａから２２ｃを引掛ける。各フック２２ａ〜２２ｃには、図２に示すように、外側に付勢され押すことによって内側に曲がる導入部材５０ａ〜５０ｃが設けられている。したがって、作業者３５は、この導入部材５０ａ〜５０ｃを押して形成された入り口から、リング金具５に引っかけるようにする。その後、導入部材５０ａ〜５０ｃを元に戻せば、リング金具５と各フック２２ａ〜２２ｃが結合される。
【００３６】
次に、作業者３５は、工具ホルダ１のベルト通し３とD環３３にベルト３１を通して、自身の腰部にベルト３１を装着する。
【００３７】
図４は、工具ホルダ１の使用例を示す図である。作業者３５は、工具ホルダ１が作業者３５の利き腕側に位置するように、ベルト３１を装着する。
【００３８】
ここで、作業者３５の前面方向に、カバー７の形状が深く切り込んだスカート形状が位置する。そのため、接続ワイヤ２１ａから２１ｃの可動性が、カバー７によって阻害されない。具体的には、工具を使うために腰より高い位置に持ち上げる際にも、接続ワイヤ２１ａから２１ｃが、カバー７によって邪魔されることなく移動する。また、作業者３５の背面側には、カバー７の真っ直ぐな形状の部分が位置する。そのため、作業者３５が背後に体を仰け反らせても、接続ワイヤ２１ａから２１ｃが作業者３５の手の届きにくい後ろ側に移動しない。
【００３９】
図５は、作業者３５が工具を使用している状況を示す図である。作業者３５が、工具を自身の正面に持ってくると、その工具の端に取り付けられた接続ワイヤ２１ｃも、リング金具５を中心に、作業者の前面に移動する。
【００４０】
３．その他実施形態
(1)上記実施形態では、カバー７の材質を革としたが、柔軟な材質であれば、布等であっても良い。革よりも安価な材料を使用して、生産コストを下げることができる。また、リング金具５の露出性を低下させなければ、プラスチックケースなどの硬質なケース等をカバーとして用いても良い。革や布よりも長持ちする。なお、この場合、ケースの何れかの部分が開閉可能であることが望ましい。
【００４１】
(2)上記実施形態では、リング金具５を金属としたが、プラスチック等であっても良い。金属よりも安価な材料を使用して、生産コストを下げることができる。
【００４２】
(3)上記実施形態では、ベルト通し３とカバー７とが個別であったが、一体であっても良い。生産手順が簡略化し、生産コストを下げることができる。
【００４３】
(4)上記実施形態では、ベルト通し３は一体的な略環状としたが、横方向にジッパーなどを設けて、容易に分離結合できるようにしてもよい。工具ホルダ１の取り付け方向を間違えた場合であっても、手軽にベルト３１から工具ホルダ１を取り外し、取り付け方向を変更できる。
【００４４】
(5)上記実施形態では、正面から見た場合のカバー７の形状を、下辺が略円弧、右端が深く切り込まれたスカート形状、左端は上下方向に真っ直ぐな形状としたが、作業者の前面方向に対する接続ワイヤの可動性を阻害しない形状であれば、それ以外の形状であっても良い。例えば、カバー７の下辺が水平の形状、カバー７全体の形状が平行四辺形や略正五角形、等脚台形、凧形等でも良い。また、作業者３５の前面方向の辺を開放・切断した正方形や長方形であっても良い。
【００４５】
(6)上記実施例において、更に、カバー７に取り付け方向を記載しても良い。これにより、作業者３５による取り付け間違いが無くなる。
【００４６】
(7)上記実施形態では、接続ワイヤ２１の一端に接続部品であるフック２２を設けている。しかし、フック２２を設けずに、接続ワイヤ２１の一端を、直接、リンク金具５に接続するようにしてもよい。
【図１】
2017154213.tif 000003
【図２】
2017154213.tif 000004
【図３】
2017154213.tif 000005
【図４】
2017154213.tif 000006
【図５】
2017154213.tif 000007
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
使用者が腰部に装着するベルトに接合される接合部と、
前記接合部に設けられ、工具が連結された接続ワイヤの一端を引掛ける引掛部と、
前記接合部に結合され、前記引掛部を遮蔽する遮蔽部と、
からなる工具保持部材であって、
前記遮蔽部は、
前記使用者が、前記ベルトを装着した場合、前記遮蔽部の右端部または左端部の長さが、前記引掛部の右端部または左端部の何れかの長さよりも長いことを特徴とする、
工具保持部材。
【請求項２】
前記遮蔽部は、
下端部が開いた構造であることを特徴とする、
請求項１に記載の工具保持部材。
【請求項３】
前記遮蔽部は、
前記遮蔽部の上端部の長さが、前記遮蔽部の下端部の長さよりも短く、
前記右端部または左端部が、前記上端部から前記下端部に向けて所定の広がりを有していることを特徴とする、
請求項１または２に記載の工具保持部材。
【請求項４】
前記引掛部は、リング状に構成され、
前記接続ワイヤの一端には前記引掛部に引掛けるための接続部品が設けられ、
前記遮蔽部は、前記引掛部に引掛けられた当該接続部品を覆う長さに構成され、当該遮蔽部の下端部は、前記引掛部を中心とする円弧状に形成されていることを特徴とする請求項３に記載の工具保持部材。
【請求項５】
前記遮蔽部は、
前記右端部または前記左端部の反対側の端部が、略鉛直であることを特徴とする、
請求項３または４に記載の工具保持部材。
【請求項６】
前記遮蔽部は、
前記使用者が、前記ベルトを、前記工具保持部材が前記使用者の側面に位置するように装着した場合、前記所定の広がりを有した右端部または左端部が、作業者の前面側に位置することを特徴とする、
請求項３〜５のいずれかに記載の工具保持部材。
【請求項７】
前記遮蔽部は、
柔軟な素材で構成されていることを特徴とする、
請求項１〜６のいずれかに記載の工具保持部材。
【請求項８】
前記遮蔽部は、
前記下端部が折り返されることで、前記引掛部が露出することを特徴とする、
請求項７に記載の工具保持部材。
【請求項９】
工具が連結された接続ワイヤの一端を引掛ける引掛部と、
前記引掛部を遮蔽する遮蔽部と、
からなる工具保持部材であって、
前記遮蔽部は、
下端に開口部を備え、
側面の形状が、前記下端から上端に向かうにつれて細くなる先細形状であり、
前記遮蔽部の右端部または左端部の長さが、前記引掛部の右端部または左端部の何れかの長さよりも長いことを特徴とする工具保持部材。
【請求項１０】
使用者が腰部に装着するベルトに接合される接合部と、
前記接合部に設けられ、工具が連結された接続ワイヤの一端を引掛ける引掛部と、
前記接合部に結合され、前記引掛部を遮蔽する遮蔽部であって、
前記使用者が、前記ベルトを装着した場合、前記遮蔽部の右端部または左端部の長さが、前記引掛部の右端部または左端部の何れかの長さよりも長く、
前記遮蔽部の上端部の長さが、前記遮蔽部の下端部の長さよりも短く、前記右端部または左端部が、前記上端部から前記下端部に向けて所定の広がりを有していることを特徴とする遮蔽部と、からなる工具保持部材を使用する方法であって、
前記使用者が、前記ベルトを、前記工具保持部材が前記使用者の側面に位置するように装着した場合、前記所定の広がりを有した右端部または左端部が、作業者の前面側に位置することを特徴とする、
前記工具保持部材を使用する方法。